(57)【要約】【課題】目的は、偏平配線部材の端末部の認識を容易に行えるようにすることである。【解決手段】複数の端末部２８Ａ、２８Ｂ、２８Ｃ、２８Ｄ、２８Ｅを有する偏平配線部材２０と、前記複数の端末部２８Ａ、２８Ｂ、２８Ｃ、２８Ｄ、２８Ｅのうちの複数に対応して設けられた複数の識別部３０と、を備え、前記複数の識別部３０は、相互に異なる識別情報を提供するように構成され、前記偏平配線部材２０は、折畳まれた折畳み形態と前記折畳み形態よりも大きく広がった展開形態との間で形態変更可能であり、前記折畳み形態における前記複数の識別部３０の分布領域Ｅ２が、前記展開形態における前記複数の識別部３０の分布領域Ｅ１よりも小さくなるように、前記複数の識別部３０が偏平配線部材２０に設けられている、配線部材である。【選択図】図２
2020198164.tif 000002
【特許請求の範囲】
【請求項１】
複数の端末部を有する偏平配線部材と、
前記複数の端末部のうち、少なくとも２つの前記端末部に対応して設けられた複数の識別部と、
を備え、
前記複数の識別部は、相互に異なる識別情報を提供するように構成され、
前記偏平配線部材は、少なくとも一部が折畳まれた折畳み形態と、前記折畳み形態の折畳みを展開した展開形態との間で形態変更可能であり、
前記折畳み形態における前記複数の識別部の分布領域が、前記展開形態における前記複数の識別部の分布領域よりも小さくなるように、前記複数の識別部が前記偏平配線部材に設けられている、配線部材。
【請求項２】
請求項１に記載の配線部材であって、
前記展開形態は、前記折畳み形態よりも大きく広がった形態である、配線部材。
【請求項３】
請求項１又は請求項２に記載の配線部材であって、
前記複数の識別部は、カメラによって相互に異なる画像として撮像可能なマークである、配線部材。
【請求項４】
請求項３に記載の配線部材であって、
前記折畳み形態において、前記複数のマークが同じ姿勢である、配線部材。
【請求項５】
請求項３又は請求項４に記載の配線部材であって、
前記折畳み形態において、前記複数のマークが同じ面側から観察可能な位置に設けられる、配線部材。
【請求項６】
請求項３から請求項５のいずれか１項に記載の配線部材であって、
前記折畳み形態において、前記偏平配線部材は、自身の幅方向に対して傾斜する線に沿って折られた部分を含む、配線部材。
【請求項７】
請求項１から請求項６のいずれか１項に記載の配線部材であって、
前記折畳み形態は、ベース部分上に他の部分が折重ねられた形態であり、
前記ベース部分にベース識別部が設けられている、配線部材。
【請求項８】
請求項１から請求項７のいずれか１項に記載の配線部材であって、
前記複数の識別部は、順番情報を含む、配線部材。
【請求項９】
請求項１から請求項８のいずれか１項に記載の配線部材であって、
前記複数の識別部は、前記複数の端末部の縁形状によって提供される識別情報を含む、配線部材。
【発明の詳細な説明】
【技術分野】
【０００１】
この発明は、配線部材に関する。
【背景技術】
【０００２】
特許文献１は、並行する複数の導体線を絶縁材で被覆したフラットケーブルを開示している。このフラットケーブルでは、コネクタ端子の固定の向きを識別する識別マークがケーブル端部の絶縁材に形成されている。
【０００３】
特許文献２は、ロボットによってコネクタ接続作業を行う技術を開示している。
【先行技術文献】
【特許文献】
【０００４】
【特許文献１】特開２００１−２５６８４６号公報
【特許文献２】特開平５−２０４４５９号公報
【発明の概要】
【発明が解決しようとする課題】
【０００５】
ところで、複数の端末を有するハーネスは、コネクタを介して各種機器に接続される。各端末を、対応する機器に正確に接続するため、各端末を正確に識別できるようにすることが望まれている。
【０００６】
そこで、本開示は、偏平配線部材の端末部の認識を容易に行えるようにすることを目的とする。
【課題を解決するための手段】
【０００７】
本開示の配線部材は、複数の端末部を有する偏平配線部材と、前記複数の端末部のうち、少なくとも２つの前記端末部に対応して設けられた複数の識別部と、を備え、前記複数の識別部は、相互に異なる識別情報を提供するように構成され、前記偏平配線部材は、少なくとも一部が折畳まれた折畳み形態と、前記折畳み形態の折畳みを展開した展開形態との間で形態変更可能であり、前記折畳み形態における前記複数の識別部の分布領域が、前記展開形態における前記複数の識別部の分布領域よりも小さくなるように、前記複数の識別部が前記偏平配線部材に設けられている、配線部材である。
【発明の効果】
【０００８】
本開示によれば、偏平配線部材の端末部の認識が容易に行われる。
【図面の簡単な説明】
【０００９】
【図１】図１は配線部材を示す平面図である。
【図２】図１は配線部材を示す平面図である。
【図３】図３は第１変形例に係る配線部材を示す平面図である。
【図４】図４は第２変形例に係る配線部材を示す平面図である。
【図５】図５は第３変形例に係る配線部材を示す平面図である。
【図６】図６は第４変形例に係る配線部材を示す平面図である。
【図７】図７は第５変形例に係る配線部材を示す平面図である。
【図８】図８は第５変形例に係る識別部を示すブロック図である。
【図９】図９は第６変形例に係る配線部材を示す平面図である。
【発明を実施するための形態】
【００１０】
［本開示の実施形態の説明］
最初に本開示の実施態様を列記して説明する。
【００１１】
本開示の配線部材は、次の通りである。
【００１２】
（１）複数の端末部を有する偏平配線部材と、前記複数の端末部のうち、少なくとも２つの前記端末部に対応して設けられた複数の識別部と、を備え、前記複数の識別部は、相互に異なる識別情報を提供するように構成され、前記偏平配線部材は、少なくとも一部が折畳まれた折畳み形態と、前記折畳み形態の折畳みを展開した展開形態との間で形態変更可能であり、前記折畳み形態における前記複数の識別部の分布領域が、前記展開形態における前記複数の識別部の分布領域よりも小さくなるように、前記複数の識別部が前記偏平配線部材に設けられている、配線部材である。比較的狭い分布領域内で複数の識別部を利用した識別がなされ得るため、偏平配線部材の端末部の認識が容易に行われる。
【００１３】
（２）前記展開形態は、前記折畳み形態よりも大きく広がった形態であってもよい。これにより、比較的小さく折畳まれた形態において、偏平配線部材の端末部の認識が容易に行われる。
【００１４】
（３）前記複数の識別部は、カメラによって相互に異なる画像として撮像可能なマークであってもよい。カメラにて撮像された画像に対して画像認識処理等を行うことによって、端末部の識別がなされる。
【００１５】
（４）前記折畳み形態において、前記複数のマークが同じ姿勢であってもよい。これにより、配線部材の折畳み形態において、より容易に端末部の識別がなされ得る。なお、複数のマークが同時に撮影されてもよい。
【００１６】
（５）前記折畳み形態において、前記複数のマークが同じ面側から観察可能な位置に設けられていてもよい。これにより、配線部材の折畳み形態において、複数のマークが容易に観察され得る。なお、複数のマークが同時に撮影されてもよい。
【００１７】
（６）前記折畳み形態において、前記偏平配線部材は、自身の幅方向に対して傾斜する線に沿って折られた部分を含んでもよい。これにより、偏平配線部材が折畳まれた形態で、重なり部分を少なくすることができ、マークが露出し易い。
【００１８】
（７）前記折畳み形態は、ベース部分上に他の部分が折重ねられた形態であり、前記ベース部分にベース識別部が設けられていてもよい。これにより、ベース部分が容易に認識され得る。また、ベース部分が基準とされた状態で、他の部分の展開作業等が容易に行われ得る。
【００１９】
（８）前記複数の識別部は、順番情報を含んでもよい。これにより、当該順番情報に従って、端末部の展開、接続作業等が円滑に実施される。
【００２０】
（９）前記複数の識別部は、前記複数の端末部の縁形状によって提供される識別情報を含んでもよい。これにより、端末部の縁形状によって、相互に異なる識別情報が提供される。
【００２１】
［本開示の実施形態の詳細］
本開示の配線部材の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００２２】
[実施形態]
以下、実施形態に係る配線部材について説明する。図１及び図２は配線部材１０を示す平面図である。図１は展開形態における配線部材１０を示している。図２は折畳み形態における配線部材１０を示している。展開形態における配線部材１０は、例えば、配線部材１０が車両等に搭載された形態である。この状態では、配線部材１０は、車両に固定される。また、端末部２８Ａ、２８Ｂ、２８Ｃ、２８Ｄ、２８Ｅは、端部のコネクタ２３を介して、車両の各種機器に接続される。折畳み形態における配線部材１０は、例えば、配線部材１０を保管、運搬するための形態である。例えば、配線部材１０は、折畳み形態で運搬されて、組付対象となる車両の近くに配設される。そして、配線部材１０は、折畳み形態のまま車両の組付対象上に配置され、組付対象上で展開される。
【００２３】
配線部材１０は、偏平配線部材２０と、複数の識別部３０とを備える。
【００２４】
偏平配線部材２０は、複数の線状伝送部材が複数の端末部２８Ａ、２８Ｂ、２８Ｃ、２８Ｄ、２８Ｅを有する形態でまとめられた、平たいハーネスである。ここでは、偏平配線部材２０は、複数の電線２２と、シート２４とを備える。
【００２５】
電線２２は、線状伝送部材の一例である。電線２２は、芯線と、被覆とを含む。芯線は、金属等の導電部材によって形成された線状導体である。被覆は、芯線の周囲を覆う絶縁部分である。線状伝送部材は、電気又は光等を伝送する線状の部材であればよい。例えば、線状伝送部材は、電線の他、裸導線、シールド線、ツイスト線、エナメル線、ニクロム線、光ファイバ等であってもよい。
【００２６】
シート２４は、複数の電線２２を偏平な形態に保つシート状の部材である。シート２４は、樹脂等によって形成される。シート２４は、金属を含んでいてもよい。シート２４は、不織シートを含んでもよい。シート２４の一方主面に複数の電線２２が分岐しつつ並列状態で固定される。シート２４に対する電線２２の固定は、溶着、接着、粘着等によってなされる。溶着は、超音波溶着であってもよいし、加熱溶着であってもよい。複数の電線２２がシート２４の一方主面に固定されることによって、複数の電線２２が平たい状態に保たれる。
【００２７】
偏平配線部材２０は、接続先となる各電気部品の位置に応じて分岐していてもよい。ここでは、複数の電線２２が複数箇所（ここでは３箇所）で分岐している例が示されている。この場合、シート２４は、電線２２の分岐経路に沿って分岐するように形成されているとよい。偏平配線部材２０のうち最も多くの電線２２が設けられた部分は幹線部と称されてもよい。また、上記電線２２が幹線部から分岐した部分は枝線部と称されてもよい。シート２４に対して電線２２側からカバーが取付けられてもよい。
【００２８】
複数の電線２２の端部にはコネクタ２３が取付けられている。ここでは、幹線部の両端部、及び、枝線部の端部において、電線２２がシート２４の端部から延出している。シート２４の端部から延出した電線２２の端部に端子が取付けられ、当該端子がコネクタ２３のキャビティ内に挿入されている。コネクタがシートの端部に固定されていてもよい。この場合、電線２２はシート２４の端部から延出していてなくてもよい。
【００２９】
本実施形態では、幹線部の両端及び複数の枝線部の端部に、端末部２８Ａ、２８Ｂ、２８Ｃ、２８Ｄ、２８Ｅが設けられる。端末部２８Ａ、２８Ｂ、２８Ｃ、２８Ｄ、２８Ｅは、シート２４の端部と、当該端部に沿って配設された電線２２の端部と、当該電線２２の端部が接続されたコネクタ２３を含むと把握されてもよい。
【００３０】
偏平配線部材２０は、上記例に限られない。複数の電線は、平たい枠部材等によって偏平状態に保たれていてもよい。複数の電線が偏平な形態となるように並列された形態で直接接合されていてもよい。また、偏平配線部材２０は、ＦＰＣ（Flexible printed circuit）、ＦＦＣ（Flexible Flat Cable）等のように、複数の線状導体が絶縁部材によって相互に絶縁された状態で偏平状態に保たれたものであってもよい。すなわち、偏平配線部材は、複数の線状導体が、相互に絶縁された状態で偏平な形態に保持され、全体として幅よりも厚みが小さく形成された配線部材であればよい。また、偏平配線部材が枝線部を有していることは必須ではない。
【００３１】
折畳み形態では、偏平配線部材２０の少なくとも一部が折畳まれている。展開形態では、当該折畳み形態において折畳まれた部分が展開された形態となっている。展開形態における偏平配線部材２０は、折畳み形態における偏平配線部材２０よりも大きく広がっている。逆に言えば、折畳み形態における偏平配線部材２０は、展開形態における偏平配線部材２０よりも小さな領域となる。
【００３２】
ここでは、偏平配線部材２０の幹線部が複数箇所（ここでは２箇所）で折曲げられる。２つの曲げ箇所Ｌ１、Ｌ２は、幹線部の長手方向において離れた位置に存在する。１つの曲げ箇所Ｌ１は、幹線部の一端寄りに位置し、より具体的には、端末部２８Ｃよりも幹線部の長手方向中央寄りに位置する。他の１つの曲げ箇所Ｌ２は、幹線部の他端寄りに位置し、より具体的には、端末部２８Ｅよりも幹線部の長手方向中央寄りに位置する。このため、折畳み形態では、偏平配線部材２０のうち幹線部の両端側部分が中央側に折畳まれる。これにより、折畳み形態における偏平配線部材２０が比較的小さくなる。ここでは、偏平配線部材２０のうち幹線部の両端側部分同士が重ね合されないように折畳まれている。なお、曲げ箇所は、例えば偏平配線部材２０において剛性が低い箇所として把握されうる。例えば、曲げ箇所は、偏平配線部材２０において厚みが小さい箇所であってもよい。また、偏平配線部材２０に折り目がつけられている箇所として把握されても良い。
【００３３】
複数の識別部３０は、複数の端末部２８Ａ、２８Ｂ、２８Ｃ、２８Ｄ、２８Ｅのうちの複数に対応して設けられている。ここでは、複数の識別部３０は、複数の端末部２８Ａ、２８Ｂ、２８Ｃ、２８Ｄ、２８Ｅの全てに対応して設けられている。複数の識別部は、複数の端末部のうちの一部である少なくとも２つに対応して設けられていてもよい。
【００３４】
複数の識別部３０は、相互に異なる識別情報を提供するように構成されている。識別情報は、人の感覚によって識別可能な情報として提供されてもよいし、装置によって識別可能な情報として提供されてもよい。装置によって識別可能な情報は、例えば、カメラによって相互に異なる画像として撮像される情報であってもよい。この場合、撮像画像は、パターンマッチング処理等の画像認識処理によって識別され得る。また、装置によって識別可能な情報は、例えば、無線通信を介して提供される情報であってもよい。
【００３５】
本実施形態では、複数の識別部３０が、２次元コードである場合が示されている。２次元コードは、ドット等によって２次元方向に情報を持たせた識別表示である。かかる識別部３０としては、例えば、ＱＲコード（登録商標）が用いられ得る。複数の識別部３０は、１次元バーコード等であってもよい。複数の識別部３０は、それぞれ異なる識別情報を含む。識別情報は、各端末部２８Ａ、２８Ｂ、２８Ｃ、２８Ｄ、２８Ｅを区別する数字、アルファベット等含む。端末部２８Ａ、２８Ｂ、２８Ｃ、２８Ｄ、２８Ｅを、機器に接続する順番が決っている場合には、識別情報は、順番情報を含むとよい。識別部３０には、端末部２８Ａ、２８Ｂ、２８Ｃ、２８Ｄの種類情報（車種、オプションの有無に拘らず常に機器に接続されるものか、車種、オプションの有無等に応じて機器に接続されたりされなかったりするものか等）が含まれてもよい。識別部３０には、配線部材１０の種類（品番情報）等が含まれていてもよい。
【００３６】
配線部材１０を取扱う際には、人又はロボット等が、コード読取り装置を用いて、上記識別部３０を読取ることで、端末部２８Ａ、２８Ｂ、２８Ｃ、２８Ｄ、２８Ｅが区別されて認識される。
【００３７】
ここでは、識別部３０は、例えば、基材の一方面に２次元コードが印刷され、他方面に粘着面が形成されたラベルによって構成される。識別部３０は、端末部２８Ａ、２８Ｂ、２８Ｃ、２８Ｄ、２８Ｅのうちシート２４のいずれか一方の面又はコネクタ２３に貼付けられる。識別部３０は、シート２４に対して電線２２の上側から貼付けられてもよい。シート２４にカバーが取付けられる場合、識別部３０はカバーに貼付けられてもよい。識別部３０は、レーザ印刷等によって、コネクタ２３、シート２４等に直接印刷されてもよい。識別部３０は、シート２４、コネクタ２３の幅方向中央に設けられてもよいし、幅方向一側寄りの位置に設けられてもよい。識別部３０の他の例については、後の変形例でも説明される。
【００３８】
折畳み形態における複数の識別部３０の分布領域Ｅ２が、展開形態における複数の識別部３０の分布領域Ｅ１よりも小さくなるように、複数の識別部３０が偏平配線部材２０に設けられている。偏平配線部材２０が曲げ箇所Ｌ１、Ｌ２が折曲げられると、端末部２８Ａ、２８Ｂ、２８Ｃと、端末部２８Ｄ、２８Ｅとは互いに近づく。このため、展開形態における端末部２８Ａ、２８Ｂ、２８Ｃ、２８Ｄ、２８Ｅが広がる領域は、折畳み形態における端末部２８Ａ、２８Ｂ、２８Ｃ、２８Ｄ、２８Ｅが広がる領域よりも大きい。なお、ここでは、展開形態と折畳み形態との間で、端末部２８Ａ、２８Ｂ、２８Ｃの配置関係は変らない。同様に、端末部２８Ｄ、２８Ｅの配置関係も変らない。
【００３９】
また、ここでは、識別部３０は、端末部２８Ａ、２８Ｂ、２８Ｃ、２８Ｄ、２８Ｅのうちシート２４の端部又はコネクタ２３に貼付けられる。図１及び図２では、端末部２８Ａ、２８Ｅでは、識別部３０はコネクタ２３に設けられる。端末部２８Ｂ、２８Ｃ、２８Ｄでは、識別部３０はシート２４の端部に設けられる。このため、展開形態における識別部３０の分布領域Ｅ１は、折畳み形態における識別部３０の分布領域Ｅ２よりも広い。なお、分布領域Ｅ１、Ｅ２は、例えば、複数の識別部３０を包摂する最小方形領域であると把握されてもよい。
【００４０】
また、折畳み形態において、複数の識別部３０が同じ姿勢とされていてもよい。図２に示す例では、折畳み形態において、複数の識別部３０が同じ姿勢とされている。このため、複数の識別部３０を同時に撮像した場合において、複数の識別部３０が揃った向きで観察される。折畳み形態において複数の識別部３０が同じ姿勢となるように、展開形態における識別部３０の姿勢が決定されている。
【００４１】
また、折畳み形態において、複数の識別部３０が同じ面側から観察可能な位置に設けられていてもよい。図２に示す例では、折畳み形態において、複数の識別部３０が折られた側の面側から観察可能な位置に設けられている。ここで、折畳み形態において識別部３０が観察される側の面（図２において表面）が観察面であるとする。ここでは、偏平配線部材２０の両端部が曲げ箇所Ｌ１、Ｌ２において１箇所ずつ折られる。このため、端末部２８Ａ、２８Ｂ、２８Ｃ、２８Ｄ、２８Ｅに対して、上記観察面側とは反対側の面に識別部が設けられている。
【００４２】
本実施形態によると、複数の識別部３０が複数の端末部２８Ａ、２８Ｂ、２８Ｃ、２８Ｄ、２８Ｅのうちの複数に対応して設けられる。また、偏平配線部材２０が折畳まれた形態で、複数の識別部３０の分布領域Ｅ２が狭くなる。このため、偏平配線部材２０が折畳まれた状態で比較的小さい観察領域Ｅ２が観察されれば、複数の端末部２８Ａ、２８Ｂ、２８Ｃ、２８Ｄ、２８Ｅの認識がなされる。例えば、比較的狭い分布領域Ｅ２がカメラで撮像されれば、その撮像画像を利用して複数の端末部２８Ａ、２８Ｂ、２８Ｃ、２８Ｄ、２８Ｅの認識がなされ得る。このため、偏平配線部材２０の複数の端末部２８Ａ、２８Ｂ、２８Ｃ、２８Ｄ、２８Ｅの認識が容易に行われる。
【００４３】
偏平配線部材２０の複数の端末部２８Ａ、２８Ｂ、２８Ｃ、２８Ｄ、２８Ｅの認識が行われれば、例えば、ロボットによる複数の端末部２８Ａ、２８Ｂ、２８Ｃ、２８Ｄ、２８Ｅの展開、接続作業等が容易に行われ得る。
【００４４】
また、複数の識別部３０が、２次元コード等のように、カメラによって相互に異なる画像として撮像可能なマークであれば、撮像画像に対して画像認識処理等がなされることによって、端末部２８Ａ、２８Ｂ、２８Ｃ、２８Ｄ、２８Ｅの識別がなされ得る。
【００４５】
また、折畳み形態において、複数の識別部３０が同じ姿勢となる。このため、折畳み形態において、複数の識別部３０を同時に撮影等して、各識別部３０を画像処理等によって識別する処理が容易となる。
【００４６】
また、折畳み形態において、複数の識別部３０が同じ面側から観察される。このため、折畳み形態において、複数の識別部３０が同時に容易に観察され得る。
【００４７】
また、複数の識別部３０が、順番情報を含むと、当該順番情報に従った作業が容易に行われる。例えば、端末部２８Ａ、２８Ｂ、２８Ｃ、２８Ｄ、２８Ｅを、折畳み形態から展開する順、機器に接続する作業等が円滑に実施される。
【００４８】
[変形例]
上記実施形態を前提とする各種変形例が説明される。
【００４９】
図３に示す第１変形例に係る配線部材１１０では、図２に示される折畳み形態に加えて、さらに端末部２８Ｃが、曲げ箇所Ｌ１、Ｌ２に対して交差（ここでは直交）する方向の曲げ箇所Ｌ３に沿って折曲げられている。このため、端末部２８Ｃに対応する識別部３０が、端末部２８Ｂ等に対応する識別部３０に近づく。これにより、複数の識別部３０の分布領域がさらに小さくなり、複数の識別部３０の識別がより容易に行われる。
【００５０】
この場合においても、複数の識別部３０が同じ姿勢となることが好ましい。本第１変形例のように、上下方向に折曲げられる端末部２８Ｃが存在する場合には、展開形態において識別部３０が上下逆に付され、折曲げられた状態で、識別部が上下方向において他の識別部と同じ姿勢となってもよい。
【００５１】
また、第１変形例においても、複数の識別部３０が同じ面側から観察されることが好ましい。偏平配線部材２０のうち折られず残る部分を基準とすると、端末部２８Ｃは２つの曲げ箇所Ｌ１、Ｌ３で折曲げられる。この場合、端末部２８Ｃに対応する識別部３０については、偏平配線部材２０に対して観察面と同じ側で、当該端末部２８Ｃに設けられるとよい。つまり、偏平配線部材のうち折られずに残る部分を基準として、奇数回折られる部分に対しては、偏平配線部材２０に対して観察面と反対側に識別部が設けられるとよい。また、偏平配線部材のうち折られずに残る部分を基準として、偶数回折られる部分に対しては、偏平配線部材２０に対して観察面と同じ側に識別部が設けられるとよい。
【００５２】
図４に示す第２変形例に係る配線部材２１０では、曲げ箇所Ｌ２は、偏平配線部材２０の幅方向に対して傾斜する線となっている。このため、偏平配線部材２０の幹線部は、自身の幅方向に対して傾斜する曲げ箇所Ｌ２に沿って折られている。この場合、幹線部のうち斜めに折られた部分から先の部分は、他の部分に対して斜め姿勢となる。このため、当該斜めに折られた部分が他の部分と重なる領域が少なくなる。よって、幹線部の端部が、他の部分に対してなるべく重なり合わないようによりコンパクトな形態に折られる。これにより、複数の識別部３０をなるべく露出させた状態で、偏平配線部材２０がより小さく折畳まれる。
【００５３】
識別部３０は、折られた姿勢に応じて、折畳み形態で、他の識別部３０と姿勢が揃うように、偏平配線部材２０に設けられることが好ましい。
【００５４】
第２変形例において、偏平配線部材２０のうち他の部分が折重ねられる中間部分がベース部分２０Ｂであるとする。図５に示す第３変形例に係る配線部材３１０のように、ベース部分２０Ｂ上にベース識別部３０Ｂが設けられていてもよい。ベース識別部３０Ｂは、端末部ではなく、ベース部分２０Ｂであることを示すマークである。
【００５５】
上記ベース部分２０Ｂが存在する場合、折畳み形態の配線部材１０がそのまま車両における組付対象箇所に移載され、組付対象箇所上で展開されてもよい。この場合、ベース部分２０Ｂが組付対象箇所における所定位置に載置されるとよい。この作業を考慮すると、ベース部分２０Ｂがベース識別部３０Ｂによって認識されると、当該ベース部分２０Ｂが組付対象箇所における所定位置上に位置するように、折畳み形態の配線部材１０が組付対象箇所に容易に移載され得る。また、ベース部分２０Ｂが基準とされた状態で、他の部分の展開作業等が容易に行われ得る。
【００５６】
図６に示す第４変形例に係る配線部材４１０では、識別部３０に対応する識別部４３０は、人が異なるものとして認識可能な情報、ここでは、異なる数字が付されたラベルである。数字は、端末部２８Ａ、２８Ｂ、２８Ｃ、２８Ｄ、２８Ｅの作業順を表すものであってもよい。
【００５７】
本変形例によると、人が作業する場合に、端末部２８Ａ、２８Ｂ、２８Ｃ、２８Ｄ、２８Ｅが識別部４３０によって容易に識別され得る。
【００５８】
この識別部３０は、カメラによって撮像されてもよい。この場合、画像処理装置等のコンピュータが、撮像画像に対してパターンマッチング処理等を行って、端末部２８Ａ、２８Ｂ、２８Ｃ、２８Ｄ、２８Ｅの認識を行ってもよい。
【００５９】
複数の識別部４３０は、色が付された粘着テープであってもよい。例えば、それぞれの識別部４３０において、粘着テープの色、大きさ及び貼付け数の少なくとも１つが異なれば、端末部２８Ａ、２８Ｂ、２８Ｃ、２８Ｄ、２８Ｅを識別するための識別部４３０として使用され得る。粘着テープの色及び大きさが異なっていれば、人によっても、画像処理装置によっても、識別部４３０によって端末部２８Ａ、２８Ｂ、２８Ｃ、２８Ｄ、２８Ｅを識別することが可能である。
【００６０】
図７に示す第５変形例に係る配線部材５１０では、識別部３０に対応する識別部５３０は、識別情報を記憶し、当該識別情報を無線送信可能な無線通信装置である。無線通信装置として、無線タグ等と呼ばれるものが用いられてもよい。無線通信装置は、電子チップとして構成されていてもよい。かかる識別部５３０は、例えば、図８に示すように、記憶部５３４と、送受信回路５３２と、制御部５３３とを備える。記憶部５３４は、端末部に関する識別情報を記憶している。送受信回路５３２は、アンテナ５３１を通じて無線信号を送受信する。制御部５３３は、予め記憶されたプログラムに従って記憶部５３４、送受信回路５３２を制御するプロセッサを含む。そして、制御部５３３は、外部からの指令に従って、記憶部５３４に記憶された識別情報を、送受信回路５３２及びアンテナ５３１を通じて外部に送信する。これにより、外部の読取装置において、識別部５３０似記憶された識別情報を読取ることができる。
【００６１】
例えば、作業者又はロボットは、読取り装置を各端末部２８Ａ、２８Ｂ、２８Ｃ、２８Ｄ、２８Ｅ近くに移動させることで、それぞれの識別部５３０の識別情報を読込んで、各端末部２８Ａ、２８Ｂ、２８Ｃ、２８Ｄ、２８Ｅを識別することができる。本変形例では、識別部５３０は外部から観察可能に露出している必要は無い。
【００６２】
図９に示す第６変形例に係る配線部材６１０では、識別部３０に対応する識別部６３０は、端末部２８Ａ、２８Ｂ、２８Ｃ、２８Ｄ、２８Ｅの縁形状によって提供される一種のマークである。すなわち、端末部２８Ａ、２８Ｂ、２８Ｃ、２８Ｄ、２８Ｅのシート２４の形状が相互に異なる形状に形成されている。シート２４の縁は、曲線によって構成されていてもよいし、直線によって形成されていてもよい。例えば、曲線の曲率半径、大きさ等が変更されることで、相互に異なる形状の識別部６３０が形成される。
【００６３】
この場合、端末部２８Ａ、２８Ｂ、２８Ｃ、２８Ｄ、２８Ｅの縁形状によって構成される識別部６３０によって、端末部２８Ａ、２８Ｂ、２８Ｃ、２８Ｄ、２８Ｅが識別される。人は、端末部２８Ａ、２８Ｂ、２８Ｃ、２８Ｄ、２８Ｅの縁形状を観察することによって、端末部２８Ａ、２８Ｂ、２８Ｃ、２８Ｄ、２８Ｅを識別することができる。また、画像処理装置が、上記縁形状を撮像して、画像処理等を行うことによっても、端末部２８Ａ、２８Ｂ、２８Ｃ、２８Ｄ、２８Ｅが識別され得る。
【００６４】
なお、上記実施形態及び各変形例で説明した各構成は、相互に矛盾しない限り適宜組合わせられ得る。例えば、識別部において、コンピュータ等によって識別可能な２次元コードと、数字とが両方印刷されていてもよい。また、識別部において、カメラによって撮像可能なマークと無線通信装置とが併用されていてもよい。
【符号の説明】
【００６５】
１０    配線部材
２０    偏平配線部材
２０Ｂ    ベース部分
２２    電線
２３    コネクタ
２４    シート
２８Ａ、２８Ｂ、２８Ｃ、２８Ｄ、２８Ｅ    端末部
３０Ｂ  ベース識別部
１１０、２１０、３１０、４１０、５１０、６１０    配線部材
４３０、５３０、６３０    識別部
５３１    アンテナ
５３２    送受信回路
５３３    制御部
５３４    記憶部
Ｅ１    分布領域
Ｅ２    分布領域
Ｌ１、Ｌ２、Ｌ３    曲げ箇所
【図１】
2020198164.tif 000003
【図２】
2020198164.tif 000004
【図３】
2020198164.tif 000005
【図４】
2020198164.tif 000006
【図５】
2020198164.tif 000007
【図６】
2020198164.tif 000008
【図７】
2020198164.tif 000009
【図８】
2020198164.tif 000010
【図９】
2020198164.tif 000011